(57)【特許請求の範囲】
【請求項１】
装置の起動時に伝送路から入力される光信号の光レベルに対応して当該光信号を検出する光素子が有する一定なダイナミックレンジに適合するよう前記光信号の基準の減衰量を設定した後、装置の運用中に前記伝送路の損失変動を要因とし運用波長数の変更がない状態で生じた光レベルの変動に対応して前記基準の減衰量を変更する制御をおこなう光伝送装置において、
前記光信号の減衰を行う減衰手段と、
前記減衰手段の後段に設けられ、前記光信号の光レベルを検出する光素子と、
伝送路の上流に配置された他の光伝送装置から出力される光信号に関する情報を含む監視光を検出する監視光検出手段と、
前記光素子によって検出された前記光信号の光レベルと、前記監視光検出手段によって検出された前記光信号に関する情報とに基づいて、前記伝送路の損失変動による前記光信号の光レベルの変動を算出し、前記光素子から出力される前記光信号が前記基準の減衰量に対応する所定のレベルになるように前記減衰手段の減衰量を制御する制御手段と、
を備えることを特徴とする光伝送装置。
【請求項２】
前記制御手段は、前記光素子によって検出された前記光信号の光レベルと、前記監視光検出手段によって検出された前記光信号に関する情報を記録し、前記伝送路の損失変動が生じる前記装置の立ち上げ時と、その後の運用中の前記情報を比較して、前記光信号の光レベルの変動を算出することを特徴とする請求項１に記載の光伝送装置。
【請求項３】
装置の起動時に伝送路から入力される光信号の光レベルに対応して当該光信号を検出する光素子が有する一定なダイナミックレンジに適合するよう前記光信号の基準の減衰量を設定した後、装置の運用中に前記伝送路の損失変動を要因とし運用波長数の変更がない状態で生じた光レベルの変動に対応して前記基準の減衰量を変更する制御をおこなう光伝送装置の光レベル制御方法において、
前記損失固定制御がなされた前記光信号の光レベルを光素子により検出する光レベル検出工程と、
伝送路の上流に配置された他の光伝送装置から出力される光信号に関する情報を含む監視光を検出する監視光検出工程と、
前記光レベル検出工程によって検出された前記光信号の光レベルと、前記監視光検出工程によって検出された前記他の光伝送装置から出力される光信号に関する情報とに基づいて、前記伝送路の損失変動による前記光信号の光レベルの変動を算出し、前記光素子から出力される前記光信号が前記基準の減衰量に対応する所定のレベルになるように前記損失固定制御の減衰量を制御する制御工程と、
前記制御工程における前記制御に応じて前記光信号の減衰を行う減衰工程と、
を含むことを特徴とする光レベル制御方法。
【請求項４】
装置の起動時に伝送路から入力される光信号の光レベルに対応して当該光信号を検出する光素子が有する一定なダイナミックレンジに適合するよう前記光信号の基準の減衰量を設定した後、装置の運用中に前記伝送路の損失変動を要因とし運用波長数の変更がない状態で生じた光レベルの変動に対応して前記基準の減衰量を変更する制御をおこなう光伝送装置の光レベル制御プログラムにおいて、
前記損失固定制御がなされた前記光信号の光レベルを光素子により検出する光レベル検出工程と、
伝送路の上流に配置された他の光伝送装置から出力される光信号に関する情報を含む監視光を検出する監視光検出工程と、
前記光レベル検出工程によって検出された前記光信号の光レベルと、前記監視光検出工程によって検出された前記他の光伝送装置から出力される光信号に関する情報とに基づいて、前記伝送路の損失変動による前記光信号の光レベルの変動を算出し、前記光素子から出力される前記光信号が前記基準の減衰量に対応する所定のレベルになるように前記損失固定制御の減衰量を制御する制御工程と、
前記制御工程における前記制御に応じて前記光信号の減衰を行う減衰工程と、
をコンピュータに実行させることを特徴とする光レベル制御プログラム。
【発明の詳細な説明】
【技術分野】
【０００１】
この発明は、光伝送システムにおいて、伝送信号の光レベルを適切な値に制御する光伝送装置、光レベル制御方法および光レベル制御プログラムに関する。
【背景技術】
【０００２】
近年、光ファイバを伝送路に用いることで電気信号に替わり、伝送速度が早く、なおかつＷＤＭ（Ｗａｖｅｌｅｎｇｔｈ  Ｄｉｖｉｓｉｏｎ  Ｍｕｌｔｉｐｌｅｘｉｎｇ；波長分割多重）により多重化され、情報容量の増加が可能な光信号の伝送を行う光伝送システムの普及が著しい。図９は、光伝送システムの構成例を示す説明図である。
【０００３】
光伝送システム９００は、上りリング網９１０と、下りリング網９２０からなる伝送路上にＯＡＤＭ（Ｏｐｔｉｃａｌ  Ａｄｄ  ａｎｄ  Ｄｒｏｐ  Ｍｕｌｔｉｐｌｅｘｅｒ；光分岐挿入装置）Ａ，Ｂ，Ｅ，Ｄと、ＩＬＡ（Ｉｎ  Ｌｉｎｅ  ＡＭＰ；光中継局）Ｃ，Ｆとが設けられる。ＯＡＤＭ（Ａ，Ｂ，Ｄ，Ｅ）にはそれぞれ送受信器９０１Ａ，９０１Ｂ，９０１Ｄ，９０１Ｅが接続されており、上りリング網９１０と、下りリング網９２０とを伝送する伝送光の挿入、分岐、透過を行うことで、任意の通信相手と光信号送受信することができる。また、ＩＬＡ（Ｃ，Ｆ）は、上りリング網９１０と、下りリング網９２０を伝送するＷＤＭ光の増幅を行う。また、光伝送システム９００を伝送する伝送光は、光信号を多重化したＷＤＭ光と、光信号の伝送状態を監視するＯＳＣ（Ｏｐｔｉｃａｌ  Ｓｕｐｅｒｖｉｓｏｒｙ  Ｃｈａｎｎｅｌ；光監視チャネル）光とから構成されている。
【０００４】
光伝送システム９００において重要なのは、ＯＡＤＭ（Ａ，Ｂ，Ｄ，Ｅ）や、ＩＬＡ（Ｃ，Ｆ）によってＷＤＭ光を構成する光信号の光レベルを適切な値に調整して上りリング網９１０、下りリング網９２０を伝送させる点である。
【０００５】
光レベルの調整に関する従来技術としては、波長多重光伝送において、光ファイバ増幅器への光入力レベルや波長数によらず、各波長でほぼ等しい光出力を得て、中間部分に光機能部品の挿入が行える構造がある。このような構成の場合、光サージの発生回避、部品接続の判断を行うことが課題となる。そこで、増幅用光ファイバへの光入力が一定になるように光入力部に可変減衰器を入れることで帰還制御する。さらに監視信号から得た波長数情報に基づき、総合的な光出力並びに増幅用光ファイバへの光入力を変える制御を行い、中間の光部品への光と光部品からの光を検出して、部品がないときは励起を抑制する。このような制御を行うことで、接続時の光サージの発生を回避すると共に光部品未接続の信号を発する技術が開示されている（例えば、下記特許文献１参照。）。
【０００６】
また、光波長多重ネットワークを簡易に構成する例もある。この場合は、チャネル当たりの光信号レベルを常に一定に保ち所望の伝送品質を維持することが課題となる。したがって、光ファイバ伝送路により伝送されてくる監視信号をＷＤＭカプラにより抽出し、リモートノードに入力される光信号の波長数を監視信号から得る。帰還制御部は、監視信号から得た波長数と、リモートノードで新たに挿入される波長数との和である波長数情報を、監視信号処理回路を介して算出する。さらに、光増幅器のトータル光パワーをその波長数情報の値で割った値が、所望のチャネル当たりの光信号の光パワーとなるよう可変光減衰器の減衰量を調整することで、可変光減衰器の減衰量に常にフィードバック制御をかけ、光ファイバ伝送路のロス変動を補償する技術が開示されている（例えば、下記特許文献２参照。）。
【０００７】
従来、光信号の光レベルの制御は、特許文献１，２のように、光伝送システムの立ち上げ時に行われ、図９に示したＯＡＤＭ（Ａ，Ｂ，Ｄ，Ｅ）およびＩＬＡ（Ｃ，Ｆ）の内部に備えられたＯＳＣ制御部が取得したＷＤＭ光の波長数情報に基づいて、受信部の減衰量を調整し、最適な光レベルに制御していた。
【０００８】
つぎに、ＯＡＤＭまたはＩＬＡを立ち上げる（起動する）際に光信号レベルを調整する方法の一例を以下に示す。図１０は、光伝送システムの立ち上げ手順を示す説明図である。図１０において、受信部１０１０は、ＶＯＡ（Ｖａｒｉａｂｌｅ  Ｏｐｔｉｃａｌ  Ａｔｔｅｎｕａｔｏｒ；可変光減衰器）１０１１の前後にフロントＰＤ（Ｐｈｏｔｏ  Ｄｉｏｄｅ）１０１４と、リアＰＤ１０１５と、ＯＳＣ分岐カプラ１０１２と、ＰｒｅＡＭＰ１０１３が備えられている。受信部１０１０は、ＰｏｓｔＡＭＰ１０５１と、ＯＳＣ合成カプラ１０５２と、ユニット内制御部１０５３と、１×２スイッチ１０５４とから構成される。また、受信部１０１０および送信部１０５０にはユニット内制御部１０１６，１０５３が備えられている。受信部１０１０において、ユニット内制御部１０１６は、フロントＰＤ１０１４と、リアＰＤ１０１５とで検出した光レベルに基づいて、ＶＯＡ１０１１の減衰量を調整し、ＰｒｅＡＭＰ１０１３へ入力される光信号の光レベルを制御する。また、受信部１０１０および送信部１０５０において、ユニット内制御部１０１６，１０５３は、ＯＳＣ制御部１０６０（図名には便宜上「ＯＳＣ」と記す。以下の説明するＯＳＣ制御部に関しても同様）と接続され、立ち上げ時のＶＯＡ１０１１の減衰量の調整を行う。
【０００９】
また、図１０においてＯＲ１０６１およびＯＳ１０６２は、ユニット内制御部１０６３と、光電気変換部（ＯＥ）１０６４と、電気光変換部（ＥＯ）１０６５とから構成されている。ユニット内制御部１０６３は、ＯＳＣ制御部１０６０の内部の制御を行う。光電気変換部（ＯＥ）１０６４は、入力された光信号を電気信号に変換して出力する。電気光変換部（ＥＯ）１０６５は、入力された電気信号を光信号に変換して出力する。
【００１０】
つぎに、上りリング網９１０および下りリング網９２０に接続したＯＡＤＭ（Ｂ）の立ち上げ手順を説明する。ＯＡＤＭ（Ｂ）を立ち上げるには、隣接する光伝送装置（図１０に示した例ではＯＡＤＭ（Ａ，Ｂ））間にＯＳＣ光を伝送させることによって行われる。
【００１１】
まず、ＯＡＤＭ（Ｂ）のＯＳＣ制御部１０６０のユニット内制御部１０６３から、光レベル制御用のＡＳＥ（Ａｍｐｌｉｆｉｅｄ  Ｓｐｏｎｔａｎｅｏｕｓ  Ｅｍｉｓｓｉｏｎ）光の出力要求をＯＡＤＭ（Ｂ）のユニット内制御部１０１６と、ＯＡＤＭ（Ａ）のユニット内制御部１０１６へ出力する（Ｓ１）。このとき要求したＡＳＥ光の光レベルは、光信号１波レベルに相当する。また、ＡＳＥ光の出力要求に合わせ、ＯＡＤＭ（Ｂ）からの光信号が伝送路に送出されないように、ＯＡＤＭ（Ｂ）のＰｒｅＡＭＰ１０１３の前段に配置された１×２ＳＷ（スイッチ）１０１７を開放側に制御し、ＯＡＤＭ（Ｂ）への入力光をシャットダウンする。
【００１２】
つぎに、ＯＡＤＭ（Ａ）の電気光変換部（ＥＯ）１０６５と、ＯＡＤＭ（Ｂ）の光電気変換部（ＯＥ）１０６４とにおいて、ＯＳＣ光の疎通確認を行う（Ｓ２）。ＡＳＥ光の出力要求を受信したＰｏｓｔＡＭＰ１０５１は、光信号１波長に相当するレベルのＡＳＥ光を出力する（Ｓ３）。このとき、ＯＡＤＭ（Ａ）からの光信号が伝送路に送出されないように、ＯＡＤＭ（Ａ）のＰｏｓｔＡＭＰ１０５１の前段に配置された１×２ＳＷ１０５４を開放側に制御する。
【００１３】
ＡＳＥ光が、上りリング網９１０を経由してＯＡＤＭ（Ｂ）の受信部１０１０へ入力され（Ｓ４）、さらにＶＯＡ１０１１を経由してユニット内制御部１０１６へ入力されると、ＶＯＡ１０１１の自動調整が実施される（Ｓ５）。具体的には、ＰｒｅＡＭＰ１０１３の入力光が適切なレベルとなるように、ＯＡＤＭ（Ｂ）のユニット内制御部１０１６はＰｒｅＡＭＰ１０１３の前段に設けられたリアＰＤ１０１５の受光パワーをモニタしてＶＯＡ１０１１を適切な減衰量に調整する。
【００１４】
ＶＯＡ１０１１の自動調整が終了すると、ＯＡＤＭ（Ｂ）のユニット内制御部１０１６は、ＰｒｅＡＭＰ１０１３への入力が安定したと判断し、ＯＡＤＭ（Ｂ）のＰｒｅＡＭＰ１０１３のシャットダウン状態を解除し（Ｓ６）、ＰｒｅＡＭＰ１０１３を出力一定制御（ＡＬＣ；Ａｕｔｏｍａｔｉｃ  Ｌｅｖｅｌ  Ｃｏｎｔｒｏｌ）によって立ち上げる。
【００１５】
ＯＡＤＭ（Ｂ）のユニット内制御部１０１６は、ＰｒｅＡＭＰ１０１３が立ち上がり、利得一定制御（ＡＧＣ；Ａｕｔｏｍａｔｉｃ  Ｇａｉｎ  Ｃｏｎｔｒｏｌ）に遷移したことを確認すると、ユニット内制御部１０６３からの光レベル制御用のＡＳＥ光の出力要求を停止させる（Ｓ７）。また、ＰｏｓｔＡＭＰ１０５１からのＡＳＥ光の出力が停止すると、ユニット内制御部１０５３は、ＯＡＤＭ（Ａ）のＰｏｓｔＡＭＰ１０５１の前段に配置した１×２ＳＷ１０５４を閉じ、ＰｏｓｔＡＭＰ１０５１のシャットダウン状態を解除して、運用を開始させる。
【００１６】
なお、図１０のＳ５で行われたＶＯＡ１０１１の自動調整とは、ＰｒｅＡＭＰ１０１３に入力された光信号（立ち上げ時にはＡＳＥ光）の光レベルがＰｒｅＡＭＰ１０１３ダイナミックレンジに収まるように調整する処理を指す。
【００１７】
以上説明したような立ち上げを行った後、ＯＡＤＭ（Ａ）およびＯＡＤＭ（Ｂ）は通常の運用状態になる。上述したように、ＶＯＡ１０１１は、光信号１波長分の減衰量を固定し、ＰｒｅＡＭＰ１０１３では、利得一定制御（ＡＧＣ）を行い多重化された光信号の利得が等しくなるように制御を行う。これは、光伝送システム９００では、通信状態に応じて伝送路を流れるＷＤＭ光に多重化される光信号の波長数が変化することが前提となっているためである。したがって、光信号の波長数の増減時にも、ＯＡＤＭ（Ａ）およびＯＡＤＭ（Ｂ）は、光信号を適切な光レベルに保つことができる。
【００１８】
【特許文献１】特開平１１−１７２５９号公報
【特許文献２】特開２００４−１４７１２２号公報
【発明の開示】
【発明が解決しようとする課題】
【００１９】
しかしながら、上述したようにＯＡＤＭ（Ａ，Ｂ，Ｄ，Ｅ）や、ＩＬＡ（Ｃ，Ｆ）の内部で光レベル制御が行われる光伝送システム９００であっても、伝送路（例えば、上りリング網９１０、下りリング網９２０）自体に撓みや、過度な温度変化が生じると、伝送路の伝送特性が変化してしまい、ＷＤＭ光の光レベルに影響を与えてしまう。伝送特性が変化した場合は、ＷＤＭ光として多重化されている光信号の波長数には変化がないため、ＶＯＡ１０１１では通常通り、立ち上げ時に固定された減衰量の減衰を行う。
【００２０】
結果として、ＯＡＤＭ（Ａ，Ｂ，Ｄ，Ｅ）や、ＩＬＡ（Ｃ，Ｆ）には伝送路の伝送特性によって立ち上げ時または、通常運用時と比較して光レベルが変動したＷＤＭ光が入力される。このようなＷＤＭ光は、光レベルの変動が修正されないまま伝送路へ出力されてしまう。ＷＤＭ光の光レベル変動が蓄積されると、ＯＡＤＭ（Ａ，Ｂ，Ｄ，Ｅ）や、ＩＬＡ（Ｃ，Ｆ）へＷＤＭ光が入力する際においてあらかじめ設計された入力レベルのダイナミックレンジに収まらず、エラーを起こしてしまう問題があった。
【００２１】
また、伝送特性の変動を考慮して入力レベルのダイナミックレンジを大きく設計すると、ＯＡＤＭ（Ａ，Ｂ，Ｄ，Ｅ）や、ＩＬＡ（Ｃ，Ｆ）の製造コストが上昇してしまうという問題があった。
【００２２】
この発明は、上述した従来技術による問題点を解消するため、光伝送路の伝送特性の変動が起きても自動的に最適な光レベルに制御することのできる光伝送装置、光レベル制御方法および光レベル制御プログラムを提供することを目的とする。
【課題を解決するための手段】
【００２３】
上述した課題を解決し、目的を達成するため、本発明にかかる光伝送装置は、装置の起動時に伝送路から入力される光信号の光レベルに対応して当該光信号を検出する光素子が有する一定なダイナミックレンジに適合するよう前記光信号の基準の減衰量を設定した後、装置の運用中に前記伝送路の損失変動を要因とし運用波長数の変更がない状態で生じた光レベルの変動に対応して前記基準の減衰量を変更する制御をおこなう光伝送装置において、前記光信号の減衰を行う減衰手段と、前記減衰手段の後段に設けられ、前記光信号の光レベルを検出する光素子と、伝送路の上流に配置された他の光伝送装置から出力される光信号に関する情報を含む監視光を検出する監視光検出手段と、前記光素子によって検出された前記光信号の光レベルと、前記監視光検出手段によって検出された前記光信号に関する情報とに基づいて、前記伝送路の損失変動による前記光信号の光レベルの変動を算出し、前記光素子から出力される前記光信号が前記基準の減衰量に対応する所定のレベルになるように前記減衰手段の減衰量を制御する制御手段と、を備えることを特徴とする。
【００２４】
この発明によれば、光伝送装置の上流の光信号に関する情報を監視光の検出により取得した情報と、光伝送装置に備えられた光素子によって検出した光信号の光レベルの情報とに基づき、光伝送装置へ入力される光信号の光レベルを求めることができる。この処理により、光伝送装置と上流の他の光伝送装置とを接続する伝送路の伝送特性による損失変動を算出し、減衰手段の減衰量を制御することで、光素子に入力される光信号の光レベルを、変動前の光レベルに戻すことができる。
【発明の効果】
【００２５】
本発明にかかる光伝送装置、光レベル制御方法および光レベル制御プログラムによれば、光伝送路の伝送特性に変動が起きても自動的に最適な光レベルに制御できるという効果を奏する。
【発明を実施するための最良の形態】
【００２６】
以下に添付図面を参照して、この発明にかかる光伝送装置、光レベル制御方法および光レベル制御プログラムの好適な実施の形態を詳細に説明する。
【００２７】
（ＯＡＤＭシステムの一例）
図１は、ＯＡＤＭの構成を示す説明図である。光伝送システム９００（図９参照）を構成するＯＡＤＭ（Ａ）は、図１に示したように受信部１０１０と、分波部１０２０と、挿入／分岐部１０３０と、合波部１０４０と、送信部１０５０とが上りリング網９１０用と、下りリング網９２０用とにそれぞれ設けられている。さらに、ＯＡＤＭ（Ａ）には、上りリング網９１０と、下りリング網９２０とに共通して機能するＯＳＣ制御部１０６０と、制御部１０７０と、変換部１０８０とを備えている。
【００２８】
まず、受信部１０１０の説明を行う。受信部１０１０は、ＶＯＡ１０１１と、ＯＳＣ分岐カプラ１０１２と、ＰｒｅＡＭＰ１０１３とから構成され、上りリング網９１０もしくは下りリング網９２０から入力された伝送光がＶＯＡ１０１１によって減衰された後、ＯＳＣ分岐カプラ１０１２によってＷＤＭ光と、ＯＳＣ光とに分岐される。
【００２９】
ＯＳＣ分岐カプラ１０１２によって分岐されたＯＳＣ光は、ＯＳＣ制御部１０６０の受信部（ＯＲ）１０６１に入力される。入力されたＯＳＣ光が、通常の光伝送状態を示す場合は、ＯＳＣ制御部１０６０は待機状態となる。しかし、入力されたＯＳＣ光が、伝送路の異常やＷＤＭ光に多重された波長数の増減などの伝送状態の変化を示す場合は、変化した事態に対応する処理を行う。したがって、ＯＳＣ制御部１０６０からは、制御部１０７０へ向けて事態に対応するための指示が出力される。
【００３０】
なお、上りリング網９１０の受信部１０１０によって分岐され、ＯＳＣ制御部１０６０へ入力されＯＳＣ光に対応した処理を指示するＯＳＣ光は、下りリング網９２０の送信部１０５０へ出力される。同様に、下りリング網１０２０の受信部１０１０によって分岐され、ＯＳＣ制御部１０６０へ入力されたＯＳＣ光に対応した処理を指示するＯＳＣ光は、上りリング網９１０の送信部１０５０へ出力される。これは、反対方向のリング網へ出力することで１つ手前の光伝送装置（ＯＡＤＭ、ＩＬＡ）に制御信号となるＯＳＣ光を送信するためである。なお、ＯＳＣ光の具体的な利用例としては、図６を用いて説明した光伝送システム９００の立ち上げ処理の利用が挙げられる。
【００３１】
つぎに、ＯＳＣ分岐カプラ１０１２によって分岐されたＷＤＭ光は、ＰｒｅＡＭＰ１０１３へ入力される。ＷＤＭ光は、ＰｒｅＡＭＰ１０１３によって増幅され、分波部１０２０へ出力される。分波部１０２０は、入力されたＷＤＭ光を波長ごとに光信号に分波し、挿入／分岐部１０３０へ出力する。
【００３２】
つぎに、挿入／分岐部１０３０の説明を行う。挿入／分岐部１０３０は、分波部１０２０から入力された波長ごとの光信号から送受信器９０１Ａ宛の光信号を分岐し、変換部１０８０へ出力する。挿入／分岐部１０３０において分岐された光信号以外の光信号は、そのまま透過され、合波部１０４０へ入力される。また、挿入／分岐部１０３０には、送受信器９０１Ａから入力された光信号が変換部１０８０を経由して挿入される。新たに挿入された光信号は合波部１０４０へ出力される。合波部１０４０は、透過または挿入によって挿入／分岐部１０３０から入力された光信号を合波して１つのＷＤＭ光として送信部１０５０へ出力する。
【００３３】
つぎに、変換部１０８０の説明を行う。変換部１０８０は、２×１スイッチ１０８１と、光電気変換部（Ｏ／Ｅ，Ｅ／Ｏ）１０８２と、電気光変換部（Ｏ／Ｅ，Ｅ／Ｏ）１０８３と、１×２カプラ１０８４とから構成される。上りリング網９１０や、下りリング網９２０を流れる伝送光のＷＤＭ光の中に送受信器９０１Ａへ向けた光信号が含まれている場合、この光信号は、挿入／分岐部１０３０から変換部１０８０へ入力される。変換部１０８０へ入力された光信号は、２×１スイッチ１０８１によって選択され、光電気変換部１０８２に出力される。光電気変換部１０８２は、入力された光信号を電気信号へ変換して、送受信器９０１Ａへ出力する。
【００３４】
また、送受信器９０１Ａから送受信器９０１Ｂへ光信号を送信する場合は、まず、変換部１０８０の電気光変換部１０８３へ電気信号が入力される。入力された電気信号は、電気光変換部１０８３において光信号へ変換され、１×２カプラ１０８４へ出力される。１×２カプラ１０８４は、電気光変換部１０８３から入力された光信号を２つに分岐し、それぞれの光信号を上りリング網９１０用の挿入／分岐部１０３０と、下りリング網９１０用の挿入／分岐部１０３０へ出力する。
【００３５】
つぎに、送信部１０５０の説明を行う。送信部１０５０は、ＰｏｓｔＡＭＰ（ポストアンプ）１０５１と、ＯＳＣ合波カプラ１０５２とから構成されている。合波部１０４０から入力されたＷＤＭ光は、ＰｏｓｔＡＭＰ１０５１に入力される。ＰｏｓｔＡＭＰ１０５１は、入力されたＷＤＭ光を増幅し、ＯＳＣ合波カプラ１０５２へ出力する。ＯＳＣ合波カプラ１０５２は、ＰｏｓｔＡＭＰ１０５１から入力されたＷＤＭ光と、ＯＳＣ制御部１０６０から入力されたＯＳＣ光とを合波し、伝送光として上りリング網９１０もしくは下りリング網９２０へ出力する。
【００３６】
つぎに、ＯＳＣ制御部１０６０の説明を行う。ＯＳＣ制御部１０６０は、受信機能を備えたＯＲ１０６１と、送信機能を備えたＯＳ１０６２と、から構成される。ＯＳＣ制御部１０６０は、制御部１０７０の内部の制御を行う。ＯＲ１０６１によって受信部１０１０のＯＳＣ分岐カプラ１０１２によって分岐されたＯＳＣ光が入力される。ＯＳＣ光の指示内容は制御部１０７０へ出力される。また、ＯＳ１０６２には制御部１０７０から他のＯＡＤＭへの指示内容が入力され、ＯＳＣ光として、送信部１０５０のＯＳＣ合成カプラ１０５２へ出力される。
【００３７】
以上がＯＡＤＭ（Ａ，Ｂ，Ｄ，Ｅ）の基本的な構成であり、ＩＬＡ（Ｃ，Ｆ）は、上述のＯＡＤＭ（Ａ，Ｂ，Ｄ，Ｅ）から分波部１０２０と、挿入／分岐部１０３０と、合波部１０４０と、変換部１０８０とを除いた構成、つまり、送受信器９０１Ａと光信号の伝送を行わない構成である。
【００３８】
（実施の形態１）
図２は、本発明の実施の形態１にかかる光伝送装置の構成を示す説明図である。図２に示したように、実施の形態１にかかる光伝送装置２００（２００Ａ，２００Ｂ）は、ＯＡＤＭやＩＬＡなどの一般的な光伝送装置の受信部１１０に、ユニット内制御部１１６と、ＰＤを備えたＰｒｅＡＭＰ１１５とを備えて構成され、上りリング網９１０によって隣接する光伝送装置２００（２００Ａまたは２００Ｂ）と接続されている。
【００３９】
受信部１１０は、フロントＰＤ１１１と、ＶＯＡ１１２と、リアＰＤ１１３と、ＯＳＣ分岐カプラ１１４と、ＰＤを備えたＰｒｅＡＭＰ１１５と、ユニット内制御部１１６とから構成される。また、受信部１１０の、ＯＳＣ分岐カプラ１１４と、ユニット内制御部１１６は、ＯＳＣ制御部１３０に接続されている。
【００４０】
送信部１２０は、ＰｏｓｔＡＭＰ１２１と、ＯＳＣ合成カプラ１２２と、から構成される。また、送信部１２０の前段には、光合波器２２０が備えられており、さらにその前段にはＰＤアレイ２１０が備えられている。また、送信部１２０のＯＳＣ合成カプラ１２２と、ＰＤアレイ２１０とは、ＯＳＣ制御部１４０に接続されている。
【００４１】
光伝送装置２００Ａから光伝送装置２００Ｂへ伝送光が送信される際の動作について順に説明を行うと、まず、図１に示した挿入／分岐部１０３０などにより、分岐もしくは挿入のために波長ごとに分波された光信号が、ＰＤアレイ２１０に入力される。ＰＤアレイ２１０は、透過した光信号の波長情報を検出して、ＯＳＣ制御部１４０へ出力する（Ｓ２１）。ＰＤアレイ２１０を透過した光信号は光合波器２２０入力される、入力された光信号は他の波長の光信号と合波され、ＷＤＭ光として送信部１２０へ出力される。
【００４２】
送信部１２０へ入力されたＷＤＭ光は、まず、ＰｏｓｔＡＭＰ（ポストアンプ）１２１によって増幅された後、ＯＳＣ合成カプラ１２２へ出力される。ＯＳＣ合成カプラ１２２には、ＯＳＣ制御部１４０からＯＳＣ光（Ｓ２２）が入力されており、ＰｏｓｔＡＭＰ１２１から入力されたＷＤＭ光とＯＳＣ光とが合成され、伝送光として上リング網９１０へ出力される。ＯＳＣ制御部１４０から出力されたＯＳＣ光（Ｓ２２）は、ＰＤアレイ２１０によって検出した波長情報が含まれている。
【００４３】
光伝送装置２００Ａから出力された伝送光は、上りリング網９１０を経由して光伝送装置２００Ｂへ入力される。光伝送装置２００Ｂに入力された伝送光は、フロントＰＤ１１１、ＶＯＡ１１２、リアＰＤ１１３を経由してＯＳＣ分岐カプラ１１４によってＷＤＭ光とＯＳＣ光（Ｓ２２）とに分岐される。フロントＰＤ１１１とリアＰＤ１１３とは、伝送光の光レベルを検出し、ＶＯＡ１１２による減衰量を求める。減衰量は、ユニット内制御部１１６へ入力され、ＶＯＡ１１２の減衰量の調整に用いる（通常運用時には、ＶＯＡ１１２の減衰量は立ち上げ時に調整した値に固定されている。）。
【００４４】
ＯＳＣ分岐カプラ１１４によって分岐されたＯＳＣ光（Ｓ２２）は、ＯＳＣ制御部１３０へ入力される。また、ＯＳＣ分岐カプラ１１４によって分岐されたＷＤＭ光は、ＰｒｅＡＭＰ１１５に入力される。ＰｒｅＡＭＰ１１５にはＰＤが備えられており、ＰＤによる検出結果は常にユニット内制御部１１６へ出力される。ＯＳＣ制御部１３０は、入力されたＯＳＣ光から波長数情報と、伝送路が正常であるかを表す監視情報を取得して、ユニット内制御部１１６へ出力する（Ｓ２３）。ユニット内制御部１１６には、受信部１１０の各機能部（１１１〜１１５）へ入力されるＷＤＭ光に多重化されている光信号の最適な光レベル（ターゲット）の情報が記録されたターゲットテーブル（不図示）が格納されている。したがって、ＯＳＣ制御部１３０から入力された情報からターゲットテーブルを参照して光信号の光レベルを算出し、光信号の光レベルが立ち上げ時、もしくは通常運用時と比較して上昇もしくは下降している場合には、ＶＯＡ１１２に減衰量の調整指示を行う（Ｓ２４）。
【００４５】
このように、実施の形態１では、ＰＤアレイ２１０を備え、ＰＤアレイ２１０によって検出した波長数情報を、ＯＳＣ光に追加することで、伝送特性が変化した場合であっても、適切な光レベルに調整することができる。
【００４６】
（実施の形態２）
図３は、本発明の実施の形態２にかかる光伝送装置の構成を示す説明図である。図３に示したように、実施の形態２にかかる光伝送装置３００（３００Ａ，３００Ｂ）は、光伝送装置２００のＰＤアレイ２１０に代えて、ＰｏｓｔＡＭＰ１２１に接続した波長解析機器であるスペクトラムアナライザユニット（ＳＡＵ；Ｓｐｅｃｔｒｕｍ  Ａｎａｌｙｚｅｒ  Ｕｎｉｔ（以下、「スペアナユニット」という）３１０を備えた構成になっている。
【００４７】
光伝送装置３００Ａから光伝送装置３００Ｂへ伝送光が送信される際の動作について順に説明を行うと、まず、ＰｏｓｔＡＭＰ１２１へ入力されたＷＤＭ光を増幅後に一部を分岐してスペアナユニット３１０へ出力する（Ｓ３１）。スペアナユニット３１０は、ＷＤＭ光から波長数情報と、チャネルレベル情報を検出し、ＯＳＣ制御部１４０へ出力する（Ｓ３２）。ＯＳＣ制御部１４０は、波長数情報と、チャネルレベル情報を含んだＯＳＣ光を光伝送装置３００Ｂへ出力する（Ｓ３３）。
【００４８】
光伝送装置３００Ａから出力された伝送光は、上りリング網９１０を経由して光伝送装置３００Ｂへ入力される。伝送光は、ＯＳＣ分岐カプラ１１４によってＷＤＭ光とＯＳＣ光（Ｓ３３）とに分岐され、ＯＳＣ光（Ｓ３３）は、ＯＳＣ制御部１３０へ入力される。ＯＳＣ制御部１３０は、入力されたＯＳＣ光から波長数情報およびチャネルレベル情報と、伝送路の監視情報を取得して、ユニット内制御部１１６へ出力する（Ｓ３４）。ユニット内制御部１１６には、受信部１１０の各機能部（１１１〜１１５）へ入力されるＷＤＭ光に多重化されている光信号の最適な光レベル（ターゲット）の情報が記録されたターゲットテーブル（不図示）が格納されている。したがって、ＯＳＣ制御部１３０から入力された情報からターゲットテーブルを参照して光信号の光レベルを算出し、光信号の光レベルが立ち上げ時、もしくは通常運用時と比較して上昇もしくは下降している場合には、ＶＯＡ１１２に減衰量の調整指示を行う（Ｓ３５）。
【００４９】
このように、実施の形態２では、スペアナユニット３１０を備え、スペアナユニット３１０によって検出した波長数情報と、チャネルレベル情報を、ＯＳＣ光に追加することで、伝送特性が変化した場合であっても、適切な光レベルに調整することができる。
【００５０】
（実施の形態３）
図４は、本発明の実施の形態３にかかる光伝送装置の構成を示す説明図である。図４に示したように、実施の形態３にかかる光伝送装置４００（４００Ａ，４００Ｂ）は、受信部１１０のＰｒｅＡＭＰ１１５に、新たにスペアナユニット４１０を接続した構成からなる。送信部１２０からは、スペアナユニット３１０を省き、波長数情報などを検出する機能を持たない構成になっている。
【００５１】
光伝送装置４００Ａから光伝送装置４００Ｂへ伝送光が送信される際の動作について順に説明を行うと、まず、光伝送装置４００Ａからは、ＷＤＭ光と、ＯＳＣ光とが合成された伝送光が出力される。伝送光は、上りリング網９１０を介して光伝送装置４００Ｂへ入力される。伝送光は、ＯＳＣ分岐カプラ１１４によってＷＤＭ光と、ＯＳＣ光とに分岐される。分岐されたＷＤＭ光は、ＰｒｅＡＭＰ１１５へ出力され、ＯＳＣ光は、ＯＳＣ制御部１３０へ出力される。
【００５２】
ＰｒｅＡＭＰ１１５は、入力されたＷＤＭ光を増幅した後、一部を分岐してスペアナユニット４１０へ出力する（Ｓ４１）。スペアナユニット４１０は、入力されたＷＤＭ光から波長数情報を検出し、波長数情報をユニット内制御部１１６へ出力する（Ｓ４２）。ユニット内制御部１１６には、受信部１１０の各機能部（１１１〜１１５）へ入力されるＷＤＭ光に多重化されている光信号の最適な光レベル（ターゲット）の情報が記録されたターゲットテーブル（不図示）が格納されている。したがって、スペアナユニット４１０から入力された波長数情報からターゲットテーブルを参照して光信号の光レベルを算出し、光信号の光レベルが立ち上げ時、もしくは通常運用時と比較して上昇もしくは下降している場合には、ＶＯＡ１１２に減衰量の調整指示を行う（Ｓ４３）。
【００５３】
このように、実施の形態３では、受信部１１０によって受信したＷＤＭ光の波長をスペアナユニット４１０によって解析し、波長情報を検出し、ターゲットテーブルを参照して光信号の光レベルを算出することで、伝送特性が変化した場合であっても、適切な光レベルに調整することができる。
【００５４】
（実施の形態４）
図５は、本発明の実施の形態４にかかる光伝送装置の構成を示す説明図である。図５に示したように、実施の形態４にかかる光伝送装置５００（５００Ａ，５００Ｂ）は、実施の形態３にかかる光伝送装置４００と同様の構成からなる。光伝送装置５００は、ＰｒｅＡＭＰ１１５から増幅されたＷＤＭ光の一部が分岐してスペアナユニット５１０へ出力される（Ｓ５１）と、スペアナユニット５１０は、入力されたＷＤＭ光から多重化されている複数の光信号の光レベルを検出し、光信号のプロファイル情報として格納する。この検出処理は、光伝送システムの運用中であれば継続して行われる。
【００５５】
伝送路の伝送特性が変化し、光伝送装置５００Ｂに入力される伝送光の光レベルが変動すると、スペアナユニット５１０に格納されている光信号のプロファイル情報と新たに検出した光信号の光レベルとに差分が生じる。スペアナユニット５１０は、差分をすると、差分情報をユニット内制御部１１６へ出力する（Ｓ５２）。したがって、スペアナユニット５１０から入力された差分情報に基づいて、光信号の光レベルが立ち上げ時、もしくは通常運用時と等しくなるよう、ＶＯＡ１１２に減衰量の調整指示を行う（Ｓ５３）。
【００５６】
このように、実施の形態４では、受信部１１０によって受信したＷＤＭ光の波長をスペアナユニット５１０によって解析し、光信号のプロファイル情報として格納し、光レベルの変動が生じた際の差分を用いて、伝送特性が変化した場合であっても、適切な光レベルに調整することができる。
【００５７】
（実施の形態５）
図６は、本発明の実施の形態５にかかる光伝送装置の構成を示す説明図である。図６に示したように、実施の形態５にかかる光伝送装置６００（６００Ａ，６００Ｂ）は、受信部１１０のＰｒｅＡＭＰ１１５に、新たにスペアナユニット６１０を接続し、送信部１２０には、実施の形態２にかかる光伝送装置３００（３００Ａ，３００Ｂ）と同様に、ＰｏｓｔＡＭＰ１２１にスペアナユニット６２０を接続した構成からなる。
【００５８】
光伝送装置６００Ａから光伝送装置６００Ｂへ伝送光が送信される際の動作について順に説明を行うと、まず、ＰｏｓｔＡＭＰ１２１へ入力されたＷＤＭ光を増幅後に一部を分岐してスペアナユニット６２０へ出力する（Ｓ６１）。スペアナユニット６１０は、ＷＤＭ光の光信号を解析してプロファイル情報を検出し、ＯＳＣ制御部１４０へ出力する（Ｓ６２）。ＯＳＣ制御部１４０は、プロファイル情報を含んだＯＳＣ光を光伝送装置６００Ｂへ出力する（Ｓ６３）。
【００５９】
光伝送装置６００Ａから出力された伝送光は、上りリング網９１０を経由して光伝送装置６００Ｂへ入力される。伝送光は、ＯＳＣ分岐カプラ１１４によってＷＤＭ光とＯＳＣ光（Ｓ６３）とに分岐され、ＯＳＣ光（Ｓ６３）は、ＯＳＣ制御部１３０へ入力される。また、ＯＳＣ分岐カプラ１１４によって分岐されたＷＤＭ光は、ＰｒｅＡＭＰ１１５によって増幅された後、一部を分岐されスペアナユニット６１０へ入力される（Ｓ６４）。
【００６０】
スペアナユニット６１０は、入力されたＷＤＭ光から多重化されている複数の光信号の光レベルを検出し、光信号のプロファイル情報とて、ユニット内制御部１１６へ出力する（Ｓ６５）。また、ＯＳＣ制御部１３０からは、ＯＳＣ光からプロファイル情報が抽出され、抽出されたプロファイル情報はユニット内制御部１１６へ出力される（Ｓ６６）。
【００６１】
ユニット内制御部１１６は、光伝送装置６００Ａのスペアナユニット６２０によって検出したプロファイル情報と、光伝送装置６００Ｂのスペアナユニット６１０によって検出したプロファイル情報とを比較して、区間６３０の伝送光の損失を算出する。この算出結果に基づき、光信号の光レベルが立ち上げ時、もしくは通常運用時と等しくなるよう、ＶＯＡ１１２に減衰量の調整指示を行う（Ｓ６７）。
【００６２】
このように、実施の形態５では、受信部１１０と送信部１２０とにそれぞれスペアナユニット６１０，６２０を接続して、上りリング網９１０を含む所定の区間６３０の損失を求めることで、伝送特性が変化した場合であっても、適切な光レベルに調整することができる。
【００６３】
（実施の形態６）
図７は、本発明の実施の形態６にかかる光伝送装置の構成を示す説明図である。図７に示したように、実施の形態６にかかる光伝送装置７００（７００Ａ，７００Ｂ）は、受信部１１０にはＯＳＣ制御部１３０が接続され、送信部１２０にはＯＳＣ制御部１４０が接続され、上述の実施の形態１〜実施の形態５とは異なり、新たな機能部を追加しない基本的な構成からなる。
【００６４】
光伝送装置７００Ａから光伝送装置７００Ｂへ伝送光が送信される際の動作について順に説明を行うと、まず、立ち上げ時にＶＯＡ１１２の減衰量を設定するためにＡＳＥ光をＯＳＣ制御部１４０からＯＳＣ制御部１３０まで伝送させる（Ｓ７１）。ＯＳＣ制御部１３０には、入力されたＯＳＣ光（例えば、ＡＳＥ光）から、光伝送装置７００ＡのＯＳＣ制御部１４０から出力した際の光レベルと、光伝送装置７００ＢのＯＳＣ制御部１３０へ入力した際の光レベルとの情報を取得し、ユニット内制御部１１６へ出力する（Ｓ７２）。
【００６５】
ユニット内制御部１１６は、取得した２つのＯＳＣ光の光レベルの情報から、上りリング網９１０を伝送した際の損失を算出する。その後、通常運用が始まると、ＯＳＣ制御部１３０には、常に最新のＯＳＣ光の光レベルの情報が入力され、現在、上りリング網９１０を伝送した場合の損失を算出する。伝送特性が変動すると、この損失に変化が生じる。ユニット内制御部１１６は、損失が変化すると、変化による損失の差分を算出し、この算出結果に基づき、光信号の光レベルが立ち上げ時、もしくは通常運用時と等しくなるよう、ＶＯＡ１１２に減衰量の調整指示を行う（Ｓ７３）。
【００６６】
このように、実施の形態６では、ＯＳＣ光が正常運用状態であることを前提とし、立ち上げ時に用いたＯＳＣ光と通常運用時のＯＳＣ光の変化を求めることで、伝送特性が変化した場合であっても、適切な光レベルに調整することができる。
【００６７】
（実施の形態７）
図８は、本発明の実施の形態７にかかる光伝送装置の構成を示す説明図である。図８に示したように、実施の形態７にかかる光伝送装置８００（８００Ａ，８００Ｂ）は、実施の形態６に示した光伝送装置７００の送信部１２０にＰＤ８１１を追加した構成からなる。光伝送装置８００Ａから光伝送装置８００Ｂへ伝送光が送信される際の動作について順に説明を行うと、まず、立ち上げ時に、ＶＯＡ１１２の調整のためにＯＳＣ制御部１４０から出力されたＯＳＣ光がＯＳＣ合成カプラ１２２を経由してＰＤ８１１へ入力される。
【００６８】
ＰＤ８１１は、ＯＳＣ光の光レベルを検出して、ＯＳＣ制御部１４０へ出力する（Ｓ８１）。ＯＳＣ制御部１４０は、検出した光レベルを含んだＯＳＣ光を光伝送装置８００Ｂへ出力する（Ｓ８２）。ＯＳＣ光（Ｓ８２）は、ＯＳＣ分岐カプラ１１４によってＯＳＣ制御部１３０へ入力される。ＯＳＣ制御部１３０は、入力されたＯＳＣ光からＰＤ８１１によって検出した光レベルの情報を抽出し、ユニット内制御部１１６へ出力する（Ｓ８３）。
【００６９】
また、光伝送装置８００ＢにＯＳＣ光が入力されると、フロントＰＤ１１１によってＯＳＣ光の光レベルが検出され、ユニット内制御部１１６へ出力される（Ｓ８４）。ユニット内制御部１１６は、ＯＳＣ制御部１３０から入力されたＯＳＣ光の光レベルの情報と、フロントＰＤ１１１から入力されたＯＳＣ光の光レベルとの情報から、上りリング網９１０を伝送した際の損失を算出する。その後、通常運用が始まると、ＯＳＣ制御部１３０には、常に最新のＯＳＣ光の光レベルの情報が入力され、現在、上りリング網９１０を伝送した場合の損失を算出する。伝送特性が変動すると、この損失に変化が生じる。ユニット内制御部１１６は、損失が変化すると、変化による損失の差分を算出し、この算出結果に基づき、光信号の光レベルが立ち上げ時、もしくは通常運用時と等しくなるよう、ＶＯＡ１１２に減衰量の調整指示を行う（Ｓ８５）。
【００７０】
このように、実施の形態７では、ＯＳＣ光が正常運用状態であることを前提として、立ち上げ時に用いたＯＳＣ光と通常運用時のＯＳＣ光の変化を求めることで、伝送特性が変化した場合であっても、適切な光レベルに調整することができる。
【００７１】
以上説明した光伝送装置２００〜光伝送装置８００によれば、光伝送路の伝送特性の変動が起きても自動的に最適な光レベルに制御することができる。
【００７２】
なお、本実施の形態で説明した光レベル制御方法は、あらかじめ用意されたプログラムをコンピュータとして、例えば、ＡＭＰユニット内のＦＰＧＡ、ファームなどに実装することにより実現される。
【００７３】
（付記１）通信用の光信号が入力され、前記光信号に対する損失が固定となる損失固定制御がなされる光伝送装置において、
前記光信号の減衰を行う減衰手段と、
前記減衰手段の後段に設けられ、前記光信号の光レベルを検出する光素子と、
伝送路の上流に配置された他の光伝送装置から出力される光信号に関する情報を含む監視光を検出する監視光検出手段と、
前記光素子によって検出された前記光信号の光レベルと、前記監視光検出手段によって検出された前記光信号に関する情報とに基づいて、前記伝送路の損失変動による前記光信号の光レベルの変動を算出し、前記光素子から出力される前記光信号が所定のレベルになるように前記減衰手段の減衰量を制御する制御手段と、
を備えることを特徴とする光伝送装置。
【００７４】
（付記２）前記光素子の後段に、前記光信号に関する情報を取得する取得手段を備え、
前記制御手段は、前記取得手段によって取得された前記光信号に関する情報と、前記光素子によって検出された前記光信号の光レベルと、前記監視光検出手段によって検出された前記光信号に関する情報のいずれか一つ以上の情報に基づいて、前記伝送路の損失変動による前記光信号の光レベルの変動を算出し、前記光素子から出力される前記光信号が所定のレベルになるように前記減衰手段の減衰量を制御することを特徴とする付記１に記載の光伝送装置。
【００７５】
（付記３）前記監視光には、前記光信号に関する情報として、前記光信号の波長数情報、波長レベル情報および波長のプロファイル情報のいずれか一つ以上の情報が含まれていることを特徴とする付記１または２に記載の光伝送装置。
【００７６】
（付記４）前記取得手段は、アレイ状の受光素子または、波長解析機器を用いて、前記監視光から前記光信号に関する情報を取得することを特徴とする付記１〜３のいずれか一つに記載の光伝送装置。
【００７７】
（付記５）前記制御手段は、前記光素子によって検出された前記光信号の光レベルと、前記監視光検出手段によって検出された前記光信号に関する情報を記録し、前記伝送路の損失変動が生じる前後の前記情報を比較して、前記光信号の光レベルの変動を算出することを特徴とする付記１〜４のいずれか一つに記載の光伝送装置。
【００７８】
（付記６）前記光素子は、光増幅手段であることを特徴とする付記１〜５のいずれか一つに記載の光伝送装置。
【００７９】
（付記７）通信用の光信号が入力され、前記光信号に対する損失が固定となる損失固定制御がなされる光伝送装置の光レベル制御方法において、
前記損失固定制御がなされた前記光信号の光レベルを光素子により検出する光レベル検出工程と、
伝送路の上流に配置された他の光伝送装置から出力される光信号に関する情報を含む監視光を検出する監視光検出工程と、
前記光レベル検出工程によって検出された前記光信号の光レベルと、前記監視光検出工程によって検出された前記他の光伝送装置から出力される光信号に関する情報とに基づいて、前記伝送路の損失変動による前記光信号の光レベルの変動を算出し、前記光素子から出力される前記光信号が所定のレベルになるように前記損失固定制御の減衰量を制御する制御工程と、
前記制御工程における前記制御に応じて前記光信号の減衰を行う減衰工程と、
を含むことを特徴とする光レベル制御方法。
【００８０】
（付記８）通信用の光信号が入力され、前記光信号に対する損失が固定となる損失固定制御がなされる光伝送装置の光レベル制御プログラムにおいて、
前記損失固定制御がなされた前記光信号の光レベルを光素子により検出する光レベル検出工程と、
伝送路の上流に配置された他の光伝送装置から出力される光信号に関する情報を含む監視光を検出する監視光検出工程と、
前記光レベル検出工程によって検出された前記光信号の光レベルと、前記監視光検出工程によって検出された前記他の光伝送装置から出力される光信号に関する情報とに基づいて、前記伝送路の損失変動による前記光信号の光レベルの変動を算出し、前記光素子から出力される前記光信号が所定のレベルになるように前記損失固定制御の減衰量を制御する制御工程と、
前記制御工程における前記制御に応じて前記光信号の減衰を行う減衰工程と、
をコンピュータに実行させることを特徴とする光レベル制御プログラム。
【産業上の利用可能性】
【００８１】
以上のように、本発明にかかる光伝送装置、光レベル制御方法および光レベル制御プログラムは、波長多重化された光信号を伝送する光伝送システムに有用であり、特に、リング網等における光信号の光レベルを調整する機能を備えた光分岐挿入装置に適している。
【図面の簡単な説明】
【００８２】
【図１】ＯＡＤＭの構成を示す説明図である。
【図２】本発明の実施の形態１にかかる光伝送装置の構成を示す説明図である。
【図３】本発明の実施の形態２にかかる光伝送装置の構成を示す説明図である。
【図４】本発明の実施の形態３にかかる光伝送装置の構成を示す説明図である。
【図５】本発明の実施の形態４にかかる光伝送装置の構成を示す説明図である。
【図６】本発明の実施の形態５にかかる光伝送装置の構成を示す説明図である。
【図７】本発明の実施の形態６にかかる光伝送装置の構成を示す説明図である。
【図８】本発明の実施の形態７にかかる光伝送装置の構成を示す説明図である。
【図９】光伝送システムの構成例を示す説明図である。
【図１０】光伝送システムの立ち上げ手順を示す説明図である。
【符号の説明】
【００８３】
２００（２００Ａ，２００Ｂ）〜８００（８００Ａ，８００Ｂ）  光伝送装置
１１０  受信部
１１１  フロントＰＤ
１１２  ＶＯＡ
１１３  リアＰＤ
１１４  ＯＳＣ分岐カプラ
１１６  ユニット内制御部
１１８  ＰＤ
１２０  送信部
１２２  ＯＳＣ合成カプラ
１３０，１４０  ＯＳＣ制御部
２１０  ＰＤアレイ
２２０  光合波器
３１０，４１０，５１０  スペアナユニット
【図１】
0004746953.tif 000002
【図２】
0004746953.tif 000003
【図３】
0004746953.tif 000004
【図４】
0004746953.tif 000005
【図５】
0004746953.tif 000006
【図６】
0004746953.tif 000007
【図７】
0004746953.tif 000008
【図８】
0004746953.tif 000009
【図９】
0004746953.tif 000010
【図１０】
0004746953.tif 000011